(57)【特許請求の範囲】
【請求項１】
ワイヤレス通信のための方法であって、
複数のワイヤレスシステムの中の第1のワイヤレスシステムに対する許可に関してユーザ機器(UE)を識別するステップと、
前記複数のワイヤレスシステムに関して前記UEを特徴づける複数の属性を判断するステップであって、異なるタイプの属性が異なる重要性に関連付けられ、前記複数の属性には所定の順序で重要性が割り当てられる、ステップと、
前記重要性の所定の順序に従って、前記複数のワイヤレスシステムに関して前記UEを特徴づける前記複数の属性を考慮することによって、前記第1のワイヤレスシステムに関する前記UEの許可優先順位を判断するステップであって、前記許可優先順位が、前記複数のワイヤレスシステムに関して前記UEを特徴づける前記複数の属性のうちの1つに基づいて判断される許可しきい値によって与えられる、ステップと、
前記第1のワイヤレスシステムに関する前記UEの前記許可優先順位に基づいて、前記第1のワイヤレスシステムに対して前記UEを許可するかどうかを判断するステップと
を含む、方法。
【請求項２】
前記第1のワイヤレスシステムに対して前記UEを許可するかどうかを判断する前記ステップが、
前記UEの前記許可しきい値を前記第1のワイヤレスシステムの現在のリソース使用と比較するステップと、
前記第1のワイヤレスシステムの前記現在のリソース使用が前記UEの前記許可しきい値未満である場合、前記第1のワイヤレスシステムに対して前記UEを許可するステップと
を含む、請求項1に記載の方法。
【請求項３】
前記複数のワイヤレスシステムに関する前記UEの複数の属性を判断する前記ステップが、前記UEが前記第1のワイヤレスシステム内に進行中のトラフィックを有するかどうかを判断するステップを含み、
前記UEが前記第1のワイヤレスシステム内に進行中のトラフィックを有するかどうかを判断する前記ステップが、
再関連付け要求メッセージを前記UEから受信するステップと、
前記再関連付け要求メッセージに基づいて、前に前記UEと関連付けられたアクセスポイントの識別子を取得するステップと、
前記前に関連付けられたアクセスポイントから前記UEに関するトラフィックインジケータを受信するステップと、
前記トラフィックインジケータに基づいて、前記UEが前記第1のワイヤレスシステム内に進行中のトラフィックを有するかどうかを判断するステップと
を含む、請求項1に記載の方法。
【請求項４】
前記複数のワイヤレスシステムに関して前記UEを特徴づける複数の属性を判断する前記ステップが、前記UEが前記複数のワイヤレスシステムの各々に関するサービス加入を有するかどうかを判断するステップを含む、請求項1に記載の方法。
【請求項５】
前記複数のワイヤレスシステムに関して前記UEを特徴づける複数の属性を判断する前記ステップが、前記UEが前記第1のワイヤレスシステムだけに関するサービス加入を有するかどうかを判断するステップを含み、
前記UEが前記第1のワイヤレスシステムだけに関するサービス加入を有するかどうかを判断する前記ステップが、
前記第1のワイヤレスシステム内の前記UEの認証の間に、前記UEのUE識別を取得するステップと、
前記UE識別が第2のワイヤレスシステム内で使用され得るかどうかに基づいて、前記UEが前記第2のワイヤレスシステムに関するサービス加入を有するかどうかを判断するステップと
を含み、
前記第2のワイヤレスシステムに関する前記UE識別に基づいて、前記第2のワイヤレスシステムに関する前記UEのホームネットワークまたは等価ネットワークのネットワーク識別を判断するステップと、
前記UEの前記ホームネットワークまたは前記等価ネットワークのネットワークエンティティと、前記第2のワイヤレスシステムに関する現在のネットワークのネットワーク識別とに基づいて、前記UEが前記第2のワイヤレスシステム内でローミングしているかどうかを判断するステップと
をさらに含む、請求項1に記載の方法。
【請求項６】
前記複数のワイヤレスシステムに関して前記UEを特徴づける複数の属性を判断する前記ステップが、
前記複数のワイヤレスシステムの各々に関する前記UEに対するサービス料金を判断するステップと、
前記UEが前記複数のワイヤレスシステムのうちのいずれかの中でローミングしているかどうかを判断するステップと、
前記第1のワイヤレスシステムに関する前記UEの能力を判断するステップ、又は、前記第1のワイヤレスシステムに関する前記UEのハンドオーバ履歴を判断するステップと
を含む、請求項1に記載の方法。
【請求項７】
前記複数のワイヤレスシステムに関して前記UEを特徴づける複数の属性を判断する前記ステップが、前記複数のワイヤレスシステムの各々に関する前記UEの能力を判断するステップを含み、
前記第1のワイヤレスシステムに関する前記UEの能力を判断する前記ステップが、前記第1のワイヤレスシステムに関して前記UEによってサポートされる最大物理レイヤレート、前記第1のワイヤレスシステムに関して前記UEによってサポートされる少なくとも1つのセキュリティプロトコル、前記第1のワイヤレスシステムに関して前記UEによってサポートされる最大システム帯域幅、前記第1のワイヤレスシステムに関して前記UEによってサポートされる少なくとも1つの動作モードのうちの少なくとも1つに基づいて、前記UEの前記能力を判断するステップを含む、請求項1に記載の方法。
【請求項８】
前記複数のワイヤレスシステムに関して前記UEを特徴づける複数の属性を判断する前記ステップが、フレームエラーレート(FER)、物理レイヤレート、信号対雑音比(SNR)、信号強度、チャネル品質インジケータ(CQI)、または送信電力ヘッドルームのうちの少なくとも1つに基づいて、前記第1のワイヤレスシステムに関する前記UEのチャネル品質を判断するステップを含む、請求項1に記載の方法。
【請求項９】
前記複数のワイヤレスシステムが、ワイヤレスローカルエリアネットアーク(WLAN)システムおよびセルラーシステムを含む、請求項1に記載の方法。
【請求項１０】
前記複数のワイヤレスシステムが、前記複数のワイヤレスシステムに関する少なくとも1つの制御機能を実行するように設計されたスモールセルの一部である、請求項1に記載の方法。
【請求項１１】
ワイヤレス通信のための装置であって、
複数のワイヤレスシステムの中の第1のワイヤレスシステムに対する許可に関してユーザ機器(UE)を識別するための手段と、
前記複数のワイヤレスシステムに関して前記UEを特徴づける複数の属性を判断するための手段であって、異なるタイプの属性が異なる重要性に関連付けられ、前記複数の属性には所定の順序で重要性が割り当てられる、手段と、
前記重要性の所定の順序に従って、前記複数のワイヤレスシステムに関して前記UEを特徴づける前記複数の属性を考慮することによって、前記第1のワイヤレスシステムに関する前記UEの許可優先順位を判断するための手段であって、前記許可優先順位が、前記複数のワイヤレスシステムに関して前記UEを特徴づける前記複数の属性のうちの1つに基づいて判断される許可しきい値によって与えられる、手段と、
前記第1のワイヤレスシステムに関する前記UEの前記許可優先順位に基づいて、前記第1のワイヤレスシステムに対して前記UEを許可するかどうかを判断するための手段と
を備える、装置。
【請求項１２】
ワイヤレス通信のための方法であって、
複数のワイヤレスシステムの中の第1のワイヤレスシステムにアクセスするためにユーザ機器(UE)によってシグナリングを送るステップと、
前記第1のワイヤレスシステムに関する前記UEの許可優先順位に基づいて、前記UEが前記第1のワイヤレスシステムに対して許可されている表示を受信するステップであって、前記許可優先順位が、前記複数のワイヤレスシステムに関して前記UEを特徴づける複数の属性のうちの1つに基づいて判断される許可しきい値によって与えられ、異なるタイプの属性が、異なる重要性に関連付けられ、前記複数の属性には、所定の順序で重要性が割り当てられ、かつ、前記UEの前記許可優先順位が、前記重要性の所定の順序に従って、前記複数のワイヤレスシステムに関して前記UEを特徴づける前記複数の属性を考慮することによって判断される、受信するステップと
を含む、方法。
【請求項１３】
前記複数のワイヤレスシステムに関して前記UEを特徴づける前記複数の属性が、前記UEが前記第1のワイヤレスシステム内に進行中のトラフィックを有するかどうか、前記UEが前記複数のワイヤレスシステムの各々に関するサービス加入を有するかどうか、前記複数のワイヤレスシステムの各々に関する前記UEに対するサービス料金、前記UEが前記複数のワイヤレスシステムのうちのいずれかの中でローミングしているかどうか、前記第1のワイヤレスシステムに関するまたは前記複数のワイヤレスシステムの各々に関する前記UEの能力、前記第1のワイヤレスシステムに関する前記UEのハンドオーバ履歴、前記第1のワイヤレスシステムに関する前記UEのチャネル品質のうちの少なくとも1つに関係する、請求項12に記載の方法。
【請求項１４】
ワイヤレス通信のための装置であって、
複数のワイヤレスシステムの中の第1のワイヤレスシステムにアクセスするためにユーザ機器(UE)によってシグナリングを送るための手段と、
前記第1のワイヤレスシステムに関する前記UEの許可優先順位に基づいて、前記UEが前記第1のワイヤレスシステムに対して許可されている表示を受信するための手段であって、前記許可優先順位が、前記複数のワイヤレスシステムに関して前記UEを特徴づける複数の属性のうちの1つに基づいて判断される許可しきい値によって与えられ、異なるタイプの属性が、異なる重要性に関連付けられ、前記複数の属性には、所定の順序で重要性が割り当てられ、かつ、前記UEの前記許可優先順位が、前記重要性の所定の順序に従って、前記複数のワイヤレスシステムに関して前記UEを特徴づける前記複数の属性を考慮することによって判断される、受信するための手段と
を備える、装置。
【請求項１５】
請求項1乃至12のいずれか1項に記載の方法を少なくとも１つのプロセッサに実行させるためのコードを記憶した非一時的コンピュータ可読記録媒体。
【発明の詳細な説明】
【技術分野】
【０００１】
本出願は、2012年10月22日に出願した、その全体が参照により本明細書に組み込まれている「METHOD AND APPARATUS FOR SUPPORTING WIRELESS COMMUNICATION VIA A SMALL CELL」という表題の米国仮出願第61/716,999号の優先権を主張するものである。
【０００２】
本開示は、一般に通信に関し、より詳細には、ワイヤレス通信をサポートするための技法に関する。
【背景技術】
【０００３】
ワイヤレス通信システムは、音声、ビデオ、パケットデータ、メッセージング、ブロードキャストなどの様々な通信コンテンツを提供するために広く展開されている。これらのワイヤレスシステムは、利用可能なシステムリソースを共有することによって複数のユーザをサポートすることが可能な多元接続システムであり得る。そのような多元接続システムの例には、符号分割多元接続(CDMA)システム、時分割多元接続(TDMA)システム、周波数分割多元接続(FDMA)システム、直交FDMA(OFDMA)システム、およびシングルキャリアFDMA(SC-FDMA)システムがある。
【０００４】
ワイヤレスシステムは、1つまたは複数のユーザ機器(UE)の通信をサポートすることができる1つまたは複数の基地局を含み得る。UEは、ダウンリンクおよびアップリンクを介して基地局と通信し得る。ダウンリンク(すなわち、順方向リンク)は、基地局からUEへの通信リンクを指し、アップリンク(すなわち、逆方向リンク)はUEから基地局への通信リンクを指す。
【０００５】
異なる無線技術を利用する複数のワイヤレスシステムを所与の地理的領域内で展開することができる。任意の数のUEを地理的領域内に配置することができる。各UEは、複数のワイヤレスシステムによって利用される無線技術のうちの1つまたは複数をサポートし得る。複数のワイヤレスシステムを介してUE用の通信を効率的にサポートすることが望ましい場合がある。
【発明の概要】
【課題を解決するための手段】
【０００６】
ワイヤレスシステムに対してUEを許可するための技法が本明細書で開示される。これらの技法は、スモールセル、無線アクセスネットワーク(RAN)、ハイブリッドRANなどに関して使用され得る。スモールセルは、ワイヤレスローカルエリアネットワーク(WLAN)システム用のアクセスポイントとセルラーシステム用のフェムトセルとを含み得る。スモールセルはスモールセルのワイヤレスシステムに対してUEを許可することなど、ある種の制御機能を実行することができる。RANは、同じ無線技術または異なる無線技術の複数のワイヤレスシステムを含み得る。ハイブリッドRANは、異なる無線技術の複数のワイヤレスシステムを含み得る。
【０００７】
本開示の一態様では、所与のワイヤレスシステムに対する許可に関する優先順位をUEに割り当てることができる。次いで、ワイヤレスシステムに関するUEの優先順位に基づいて、そのワイヤレスシステムに対してUEを許可することができる。
【０００８】
一設計では、複数のワイヤレスシステムの中の第1のワイヤレスシステムに対する許可に関してUEを識別することができる。複数のワイヤレスシステムに関するUEの属性(たとえば、能力)を判断することができる。UEの属性は、UEが第1のワイヤレスシステム内で進行中のトラフィックを有するかどうか、UEが複数のワイヤレスシステムの各々に関するサービス加入を有するか、または第1のワイヤレスシステムに関するサービス加入を有するか、複数のワイヤレスシステムの各々に関するUEに対するサービス料金、UEが複数のワイヤレスシステムのうちのいずれかの中でローミングしているかどうか、第1のワイヤレスシステムに関するまたは各ワイヤレスシステムに関するUEの能力、第1のワイヤレスシステムに関するUEのハンドオーバ履歴、第1のワイヤレスシステムに関するUEのチャネル品質、いくつかの他の属性、またはそれらの任意の組合せに関係し得る。複数のワイヤレスシステムに関するUEの属性に基づいて、第1のワイヤレスシステムに関するUEの許可優先順位を判断することができる。次いで、第1のワイヤレスシステムに関するUEの許可優先順位に基づいて、第1のワイヤレスシステムに対してUEを許可するかどうかを判断することができる。
【０００９】
一設計では、第1のワイヤレスシステムに関するUEの許可優先順位は、複数のワイヤレスシステムに関するUEの属性に基づいて判断され得る許可しきい値によって与えられることが可能である。UEの許可しきい値は、第1のワイヤレスシステムの現在のリソース使用またはローディングと比較され得る。第1のワイヤレスシステムの現在のリソース使用がUEの許可しきい値未満である場合、第1のワイヤレスシステムに対してUEを許可することができる。
【００１０】
本開示の様々な態様および特徴が、以下でさらに詳細に説明される。
【図面の簡単な説明】
【００１１】
【図１】例示的なシステム展開を示す図である。
【図２】許可しきい値に基づいてWLANシステムに対してUEを許可するためのプロセスを示す図である。
【図３】UEの許可しきい値を判断するためのプロセスを示す図である。
【図４】ワイヤレスシステムに対してUEを許可するためのプロセスを示す図である。
【図５】UEがワイヤレスシステムにアクセスするためのプロセスを示す図である。
【図６】ネットワークエンティティおよびUEのブロック図である。
【図７】スモールセルおよびUEのブロック図である。
【発明を実施するための形態】
【００１２】
本明細書で説明する技法は、CDMA、TDMA、FDMA、OFDMA、SC-FDMAおよび他のワイヤレスシステムなどの様々なワイヤレス通信システムに使用され得る。「システム」という用語および「ネットワーク」という用語は、しばしば互換的に使用される。CDMAシステムは、Universal Terrestrial Radio Access(UTRA)、cdma2000などの無線技術を実装し得る。UTRAは、Wideband CDMA(WCDMA(登録商標))、Time Division Synchronous CDMA(TD-SCDMA)、およびCDMAの他の変形形態を含む。cdma2000は、IS-2000規格、IS-95規格、およびIS-856規格を含む。TDMAシステムは、Global System for Mobile Communications(GSM(登録商標))などの無線技術を実装し得る。OFDMAシステムは、Evolved UTRA(E-UTRA)、Ultra Mobile Broadband(UMB)、IEEE802.11(Wi-FiおよびWi-Fi Direct)、IEEE802.16(WiMAX)、IEEE802.20、Flash-OFDM(登録商標)などの無線技術を実装し得る。UTRA、E-UTRA、およびGSM(登録商標)は、Universal Mobile Telecommunication System(UMTS)の一部である。周波数分割複信(FDD)と時分割複信(TDD)の両方における3GPP Long Term Evolution(LTE)およびLTE-Advanced(LTE-A)は、ダウンリンク上ではOFDMAを利用しアップリンク上ではSC-FDMAを利用するE-UTRAを使用する、UMTSの最近のリリースである。UTRA、E-UTRA、GSM(登録商標)、UMTS、LTEおよびLTE-Aは、「3rd Generation Partnership Project」(3GPP)と称する団体からの文書に記載されている。cdma2000およびUMBは、「3rd Generation Partnership Project 2」(3GPP2)という名称の組織からの文書に記載されている。本明細書で説明される技法は、上記のワイヤレスシステムおよび無線技術、ならびに他のワイヤレスシステムおよび無線技術で使用され得る。
【００１３】
図1は、本開示のいくつかの態様を実装することができる、ある例示的なシステム展開100を示す。スモールセル120は、自宅、アパート、事務所、店など、小さな地理的領域用の通信をサポートすることができる。スモールセル120は、第1の無線技術を介して通信をサポートするアクセスポイント(AP)122と、第2の無線技術を介して通信をサポートするフェムトセル124とを含み得る。アクセスポイント122はWLANシステムの一部であり得、フェムトセル124はセルラーシステムの一部であり得る。スモールセル120は、したがって、重複するカバレッジを有し、共通のネットワークエンティティの制御下にあるワイヤレスシステムである2つの共存ワイヤレスシステム用の通信をサポートし得る。ネットワークエンティティは、UEではなく、ワイヤレスノードなどと呼ばれる場合もある任意のエンティティであり得る。
【００１４】
アクセスポイント122は、WiFi、Hiperlan、または何らかの他のWLAN無線技術など、無線技術をサポートし得る。アクセスポイント122は、互いと通信することができる局のセットを含む基本サービスセット(BSS)用の通信をサポートし得る。BSSは、WLANシステムと呼ばれる場合もある。
【００１５】
フェムトセル124は、LTE、WCDMA(登録商標)、CDMA 1X、GSM(登録商標)などの無線技術をサポートし得る。フェムトセル124は、ホーム基地局(HBS)、ホームアクセスポイント(HAP)、ホームノードB(HNB)、ホーム進化型ノードB(HeNB)などと呼ばれる場合もある。フェムトセル124は、限定加入者グループ(CSG)に属し得るUEのグループに関して限定されたアクセスを提供するように構成され得る。フェムトセル124は、ネットワークオペレータがセルラーシステムのカバレッジを拡張して、容量を増大すること、および/または他の利点を得ることを可能にし得る。フェムトセル124は、セルラーシステムの一部と見なされてよく、セルラーシステム内の他のネットワークエンティティと通信することができる。フェムトセル124は、公開されている「3G Home NodeB Study Item Technical Report」という名称の3GPP TR 25.820で説明されるように動作することができる。フェムトセル124は、他の無線技術に関する文書で説明されるように動作することもできる。フェムトセル124は、セルラーシステム内でRNCによって通常実行されるいくつかの機能を実行することができる無線ネットワークコントローラ(RNC)を含み得る。
【００１６】
アクセスポイント122およびフェムトセル124は、インターネット148または何らかの他のデータネットワークに結合され得るルータ126に結合可能である。ルータ126は、アクセスポイント122およびフェムトセル124と他のエンティティとの間でトラフィックデータを経路指定することができる。アクセスポイント122およびフェムトセル124は、これらのエンティティに関する協調および制御機能を実行することができるスモールセルコントローラ140にさらに結合され得る。スモールセルコントローラ140は、スモールセル120内のWLANシステムまたはセルラーシステムに対してUEを許可することができる許可マネージャ142などの協調および制御機能を実行するために様々なモジュールを含み得る。スモールセルコントローラ140は、UEに関する通信および他のサービスをサポートする様々なネットワークエンティティを含み得る、コアネットワーク150内のエンティティと通信することができる。
【００１７】
1つの例示的な設計では、スモールセル120は、ユーザによって購入可能であり、自宅、アパートなどの中に設置され得る物理的なハードウェアモジュールまたはユニット(たとえば、市販の製品)であり得る。スモールセル120用のハードウェアモジュールは、アクセスポイント122用の第1のモジュール(たとえば、集積回路(IC)チップまたは回路版)と、フェムトセル124用の第2のモジュールと、ルータ126用の第3のモジュールと、スモールセルコントローラ140用の第4のモジュールとを含み得る。スモールセルコントローラ140用の第4のモジュールは、そのうちの1つが許可マネージャ142であってよい様々なソフトウェアモジュールを記憶するメモリを含み得る。概して、スモールセル120は、任意の数のハードウェアモジュールを含み得る。各ハードウェアモジュールは、機能の任意のセットを実行することができ、アクセスポイント122、もしくはフェムトセル124、もしくはルータ126、もしくはスモールセルコントローラ140、またはそれらの組合せをサポートし得る。アクセスポイント122、フェムトセル124、ルータ126、およびスモールセルコントローラ140の各々の機能は、ソフトウェアおよび/または1もしくは複数のハードウェアモジュール上のハードウェアの中で実装され得る。
【００１８】
基地局132は、たとえば、最高で半径10キロメートル(Km)までの比較的大きな地理的領域に関する通信をサポートし得る。このカバレッジ領域にサービスする基地局132および/または基地局サブシステムのカバレッジ領域はマクロセルと呼ばれる場合がある。基地局132は、簡単にするために、図1に示さない他の基地局を含み得る、セルラーシステム130の一部であり得る。セルラーシステム130は、フェムトセル124と同じ無線技術または異なる無線技術をサポートし得る。基地局132は、基地局132および他の基地局の協調および制御を提供することが可能なシステムコントローラ134に結合し得る。システムコントローラ134は、さらに、コアネットワーク150に結合され得る。
【００１９】
UE110から116は、スモールセル120のカバレッジ領域全体に分散されてよく、各UEは固定されていてもまたは移動式であってもよい。UEは、移動局、端末、アクセス端末、加入者ユニット、局(STA)などと呼ばれることもある。UEは、セルラー電話、スマートフォン、タブレット、ワイヤレス通信デバイス、携帯情報端末(PDA)、ワイヤレスモデム、ハンドヘルドデバイス、ラップトップコンピュータ、コードレス電話、ワイヤレスローカルループ(WLL)局、ネットブック、スマートブックなどであってよい。UEは、スモールセル120内でアクセスポイント122および/またはフェムトセル124と通信することが可能であり得る。UEは、セルラーシステム130内で基地局132と通信することも可能であり得る。UEは、(たとえば、アクセスポイント122と通信しているとき)局、ユーザなどと呼ばれる場合がある。
【００２０】
図1に示すように、スモールセル120は、WLANサービスを提供する共存アクセスポイント122とセルラーサービスを提供するフェムトセル124とを含み得る。任意の数のUE(すなわち、基地局またはユーザ)がスモールセル120のカバレッジ内に配置され得る。各UEは、WLANサービスだけ、もしくはセルラーサービスだけ、またはWLANサービスとセルラーサービスの両方をサポートし得る。スモールセル120内の任意の数のUEが任意の所与の瞬間にアクティブであり得る。アクティブなUEは、異なる能力および/またはデータ要件を有し得る。スモールセル120内のアクティブなUEに効率的にサービスすることが望ましい場合がある。
【００２１】
本開示の一態様では、(たとえば、スモールセル内の)異なるワイヤレスシステムに対してUEを許可するための技法が開示される。一設計では、所与のワイヤレスシステムに対する許可に関する優先順位をUEに割り当てることができる。これらのUEは、ワイヤレスシステムにアクセスすることを望む場合があり、かつ/またはワイヤレスシステムに関するサービス加入を有し得る。次いで、ワイヤレスシステムに関するUEの優先順位に基づいて、そのワイヤレスシステムに対してUEを許可することができる。これらの技法は、スモールセル、もしくはRAN、またはハイブリッドRANなどの中の複数のワイヤレスシステムに関して使用され得る。
【００２２】
一設計では、ユーザ許可優先順位はシステムベースごとに判断され得る。各ワイヤレスシステムに対する許可に関する優先順位をUEに割り当てることができる。たとえば、WLANサービスだけをサポートするUE、ならびにWLANサービスとセルラーサービスの両方をサポートするUEに、WLANシステムに対する許可に関する優先順位を割り当てることができる。セルラーサービスだけをサポートするUE、ならびにWLANサービスとセルラーサービスの両方をサポートするUEに、セルラーシステムに対する許可に関する優先順位を割り当てることができる。そのワイヤレスシステムに関するUEの優先順位に基づいて、各ワイヤレスシステムに対してUEを許可することができる。ユーザにシステムごとの許可優先順位を適用することは、結果として、スモールセル内でWLANシステムおよびセルラーシステムの利用可能なリソースのより良好な使用をもたらし得る。
【００２３】
様々な要因に基づいて、所与のワイヤレスシステムに対する許可に関する優先順位をUEに割り当てることができる。これらの要因は、ワイヤレスシステムに関するUEの属性または能力に関係し得る。一設計では、以下の要因のうちの1つまたは複数に基づいて、所与のワイヤレスシステムYに対する許可に関する優先順位を所与のUE Xに割り当てることができる。
A1.システムY上の保留中セッション。システムY内に進行中のトラフィックを有するUEは、システムY内で進行中のトラフィックを有さないUEよりも、システムYに対する許可に関してより高い優先順位を有する。
A2.UE Xに利用可能なワイヤレスシステム。システムYだけに関するサービスを受けることが可能なUEは、複数のシステムに関するサービスを受けることが可能なUEよりも、システムYに対する許可に関してより高い優先順位を有する。
A3.異なるワイヤレスシステムに関するサービス請求。システムYだけに関してより低いサービス料金を有するUEは、複数のシステムに関してより低いサービスを有するUEよりも、システムYに対する許可に関してより高い優先順位を有する。
A4.デバイス能力。システムYに関してより高い能力を有するUEは、システムYに関してより低い能力を有するUEよりも、システムYに対する許可に関してより高い優先順位を有する。
A5.ハンドオーバ履歴。頻繁なハンドオーバ履歴を有さないUEは、頻繁なハンドオーバ履歴を有するUEよりも、システムYに対する許可に関してより高い優先順位を有する。
A6.チャネル品質。システムYに関して良好なチャネル品質を有するUEは、システムYに関して不良なチャネル品質を有するUEよりも、システムYに対する許可に関してより高い優先順位を有する。
A7.他の要因。
【００２４】
要因A1からA6は、一設計による重要性の順序で列挙されており、要因A1は重要性が最も高く、要因A6は重要性が最も低い。これらの要因は、何らかの他の順序で重要性が割り当てられてもよい。システムYに対する許可に関するUEの優先順位を判断するために、他の要因を考慮することも可能である。
【００２５】
要因A2は、システムYだけに関するサービス加入を有し、システムYだけに関するサービスを受けることができるUEがサービスを取得することができることを確実にし得る。複数のシステムに関するサービスを受けることができるUEは、システムYに対する許可に関してより低い優先順位を有し得る。システムYがより好ましい可能性があっても、これらのUEを他のシステムに対して許可することが可能であり、これはシステムYだけに関するサービスを受けることができるUEがサービスを取得するのを可能にし得る。
【００２６】
要因A3は、UEに関するサービス料金を削減し得る。たとえば、システムYに関するサービス加入を有するが別のシステム内をローミングするUEは、これらのUEが他のシステムに関するローミング料金を回避することができるように、システムYに対する許可に関してより高い優先順位を有し得る。システムYが、システムYだけに関してより低いサービス料金を有するUEにサービスするのを可能にするために、必要に応じて、(たとえば、これらのUEが他のシステム内でローミングしていないことにより)システムYならびに他のシステムに関してより低いサービス料金を有するUEを他のシステムに対して許可することができる。(たとえば、システムY内のローミングにより)システムYに関して高いサービス料金を有するUEは、システムYに対する許可に関してより低い優先順位を有し得る。
【００２７】
要因A4およびA6は、UEとシステムYの両方に関する性能を改善することができる。システムYに関してより高い能力および/または良好なチャネル品質を有するUEは、システムYに対する許可に関してより高い優先順位を有し得る。これらのUEは、システムYに関してより低い能力および/または不良なチャネル品質を有する他のUEよりも良好な性能を達成することができる。
【００２８】
要因A1、A4、A5、およびA6はユーザ経験を改善し得る。要因A1の場合、別のシステムに切り替える利点が切替えのコストを上回らない限り、システムYとすでに通信しているUEをシステムY上に残すことが望ましい場合がある。許可優先順位に影響を及ぼす他の要因が同じであると仮定すると、システムYとすでに通信しているUEは、システムYにアクセスすることを試みている他のUEよりも、システムYに対する許可に関してより高い優先順位を有し得る。要因A5の場合、頻繁なハンドオーバ履歴を有さないUEは、システムYに対する許可に関してより高い優先順位を有し得る。これらのUEが許可されている場合、これらのUEは、頻繁なハンドオーバ履歴を有するUEよりも、システムYに残る可能性がより高い場合がある。
【００２９】
システムYに対する許可に関する優先順位をUE Xに割り当てる際に他の要因を考慮することも可能である。たとえば、優先順位をUE Xに割り当てる際に、UE Xの現在の電池寿命、各システムに関するUE Xの予想される電力消費などを考慮することが可能である。概して、システムYに対する許可に関する優先順位をUE Xに割り当てる際に、(i)システムY、および、場合によっては、他の共存システムに関するUE Xの属性または特性、ならびに(ii)UE Xおよび他のUEに関するシステムYの属性または特性に関係する任意の要因を考慮することが可能である。
【００３０】
スモールセル120は、WLANサービスをサポートするWLANシステムと、セルラーサービスをサポートするセルラーシステムとを含み得る。一設計では、スモールセル120内のWLANシステムに対する許可に関するUEの優先順位は、以下の要因のうちの1つまたは複数に基づいて判断され得る。
B1.WLANシステム内に進行中のトラフィックを有するUEは、WLANシステム内に進行中のトラフィックを有さないUEよりも、WLANシステムに対する許可に関してより高い優先順位を有する。
B2.セルラーサービスを有さないUEは、セルラーサービスを有するUEよりも、WLANシステムに対する許可に関してより高い優先順位を有する。
B3.セルラー可能UEの中で、セルラーローミング中のUEは、セルラーローミング中でないUEよりも、WLANシステムに対する許可に関してより高い優先順位を有する。
B4.WLANシステムに関して高い能力を有するUEは、WLANシステムに関して低い能力を有するUEよりも、WLANシステムに対する許可に関してより高い優先順位を有する。
B5.頻繁なハンドオーバ履歴を有さないUEは、頻繁なハンドオーバ履歴を有するUEよりも、WLANシステムに対する許可に関してより高い優先順位を有する。
B6.WLANシステムに関して良好なチャネル品質を有するUEは、WLANシステムに関して不良なチャネル品質を有するUEよりも、WLANシステムに対する許可に関してより高い優先順位を有する。
B7.他の要因。
【００３１】
WLANシステムに関する所与のUE Xの能力は、様々な方法で定量化され得る。一設計では、WLANシステムに関するUEの能力は、以下のうちの1つまたは複数に基づいて定量化され得る。
C1.WLANシステムに関してUE Xによってサポートされる最大物理レイヤレート。
C2.WLANシステムに関してUE Xによってサポートされるセキュリティプロトコル。
C3.WLANシステムに関してUE Xによってサポートされる最大システム帯域幅。
C4.WLANシステムに関してUE Xによってサポートされる動作モード。
C5.他の要因。
【００３２】
WLANシステムおよびUE Xは、各々、802.11規格ファミリーの1つまたは複数の規格をサポートすることができる。各802.11規格は、データレートのセット、1つまたは複数のシステム帯域幅、および1つまたは複数の変調技法をサポートする。たとえば、レガシー802.11は、直接シーケンススペクトラム拡散(direct-sequence spread spectrum)(DSSS)または周波数ホッピングスペクトラム拡散(frequency-hopping spread spectrum)(FHSS)を用いて、20MHzシステム帯域幅上で最高2メガビット/秒(Mbps)をサポートする。802.11aは、直交周波数分割多重化(OFDM)を用いて、20MHzで最高54Mbpsをサポートする。802.11bは、DSSSを用いて、20MHzで最高11Mbpsをサポートする。802.11gは、OFDMおよびDSSSを用いて、20MHzで最高54Mbpsをサポートする。802.11nは、OFDMを用いて、20MHzまたは40MHzで最高150Mbpsをサポートする。802.11acは、OFDMを用いて、160MHzで最高867Mbpsをサポートする。
【００３３】
WLANシステムおよびUE Xは、各々、Wired Equivalent Privacy(WEP)、Wi-Fi Protected Access(WPA)、およびWPA version 2(WPAv2)など、1つまたは複数のセキュリティプロトコルをサポートし得る。WEPは、WLAN用の最初のセキュリティプロトコルであり、安全性が最も低い。WPAは、WLAN用の改善されたセキュリティプロトコルであり、WPA2は、WPAに対する拡張セキュリティプロトコルである。各セキュリティプロトコルは、1つもしくは複数の認証方法および/または暗号化方法をカバーし得る。
【００３４】
WLANシステムに関するUE Xの能力は、上に列挙した要因のうちの1つまたは複数に基づいて定量化され得る。たとえば、UE Xが、(i)(たとえば、802.11bの場合)低い最大物理レイヤレートをサポートする場合、(ii)旧式のセキュリティプロトコル(たとえば、WEPおよび/もしくはWPA)をサポートする場合、(iii)アクセスポイント122による20MHz動作をサポートし、40MHz動作をサポートしない場合、ならびに/または(iv)グリーンフィールドフォーマット(green-field format)および低減されたフレーム間隔(IFS)をサポートしない場合、たとえば、アクセスポイント122による低効率動作だけをサポートする場合、UE XはWLANシステムに関して低い能力を有すると見なすことができる。
【００３５】
WLANシステムに関するチャネル品質は、様々な方法で定量化され得る。一設計では、WLANシステム関するチャネル品質は、フレームエラーレート(FER)、物理レイヤレート、ダウンリンクおよび/もしくはアップリンクに関する信号対雑音比(SNR)または信号強度、チャネル品質インジケータ(CQI)、送信電力ヘッドルームなどによって定量化され得る。たとえば、UE Xが、高いフレームエラーレート、低い物理レイヤレート、ダウンリンクに関する低いSNRまたは低い信号強度、不良なCQI、低い送信電力ヘッドルームなどを有する場合、UE Xは、WLANシステムに関して不良なチャネル品質を有すると見なすことができる。
【００３６】
WLANシステムに対する許可に関するUEの優先順位を判断するためのいくつかの要因が上で説明されてきた。要因B2、B3、B4、およびB6は、WLANシステムとセルラーシステムの両方と通信することができるUEに適用可能である。要因B1からB6は、一設計による重要性の順序で列挙されており、要因B1は重要性が最も高く、要因B6は重要性が最も低い。これらの要因は、何らかの他の順序で重要性が割り当てられてもよい。
【００３７】
許可優先順位を判断するための要因は、様々な方法で、WLANシステムに対してUEを許可するために使用され得る。一設計では、1つまたは複数の要因を使用して、UEの許可しきい値を判断することができる。次いで、許可しきい値を使用して、WLANシステムに対してUEを許可するか否かを判断することができる。
【００３８】
図2は、許可しきい値に基づいてWLANシステムに対してUEを許可するためのプロセス200の設計を示す図である。上で説明した要因のうちのいくつかまたはすべてを含み得る、許可優先順位を判断するために使用される1つもしく複数の要因に基づいて、UEに関する許可しきい値を判断することができる(ブロック212)。許可しきい値は、それ未満でUEがWLANシステムに対して許可され得る、WLANシステムのリソース使用またはローディングの割合を示すことができる。たとえば、Qパーセントの許可しきい値は、WLANシステムのリソース使用の割合がQ以下である場合、WLANシステムに対してUEを許可することができることを意味し得る。より高い許可しきい値はより高い許可優先順位に対応し得るが、これは、WLANシステムがより十分にロードされているときですら、WLANシステムに対してUEを許可することができるためである。反対に、より低い許可しきい値はより低い許可優先順位に対応し得るが、これは、WLANシステムが軽くロードされている場合だけ、WLANシステムに対してUEを許可することができるためである。
【００３９】
WLANシステムの現在のリソース使用の割合を判断することができる(ブロック214)。リソース使用割合は、ワイヤレス媒体の利用割合および/または他の量によって定量化され得る。たとえば、WLANシステムに関して利用可能なリソースの総量に対する所与の時間間隔内でWLANシステムによって利用されたリソースの量(たとえば、時間の量)の比率によってリソース使用割合を出すことができる。WLANシステムのリソース使用割合がUEの許可しきい値未満であるかどうかを判断することができる(ブロック216)。ブロック216に対する回答が「Yes」である場合、WLANシステムに対してUEを許可することができる(ブロック218)。そうでない場合、WLANシステムのリソース使用割合が許可しきい値よりも大きい場合、WLANシステムに対してUEを許可することはできない(ブロック220)。割り当てられた許可しきい値およびWLANシステムの現在のリソース使用に基づいてUEを許可するこの設計は、利用可能なシステムリソースのより効率的かつ十分な使用を可能にし得る。
【００４０】
1つもしくは複数の要因に基づいて、かつ1つもしくは複数の機能および/または規則にさらに基づいて、UEの許可しきい値を判断することができる。許可しきい値を判断するために、要因を別々に考慮してよく、または一緒に考慮してもよい。
【００４１】
図3は、UEの許可しきい値を判断するためのプロセス300の設計を示す。UEがWLANシステム内に進行中のトラフィックを有するかどうかを判断することができる(ブロック312)。回答が「Yes」である場合、90%または何らかの他の値であってよいT1の許可しきい値をUEに割り当てることができる(ブロック314)。
【００４２】
ブロック312に関して、UEがWLANシステム内に進行中のトラフィックを有さず、回答が「No」である場合、UEがセルラーサービスを有するかどうかを判断することができる(ブロック316)。回答が「No」である場合、T1未満であってよく、80%または何らかの他の値であってよいT2の許可しきい値をUEに割り当てることができる(ブロック318)。
【００４３】
ブロック316に関して、UEがセルラーサービスを有し、回答が「Yes」である場合、UEがセルラーローミング中であるかどうかを判断することができる(ブロック322)。回答が「Yes」である場合、T2未満であってよく、70%または何らかの他の値であってよいT3の許可しきい値をUEに割り当てることができる(ブロック324)。
【００４４】
ブロック322に関して、UEがセルラーローミング中ではなく、回答が「No」である場合、UEが高いWLAN能力を有するかどうかを判断することができる(ブロック326)。回答が「Yes」である場合、T3未満であってよく、60%または何らかの他の値であってよいT4の許可しきい値をUEに割り当てることができる(ブロック328)。
【００４５】
ブロック326に関して、UEが高いWLAN能力を有さず、回答が「No」である場合、UEが低いWLAN能力を有するかどうかを判断することができる(ブロック332)。回答が「Yes」である場合、T4未満であってよく、50%または何らかの他の値であってよいT5の許可しきい値をUEに割り当てることができる(ブロック334)。
【００４６】
ブロック332に関して、UEが低いWLAN能力を有さず、回答が「No」である場合、UEがセルラーサービスだけでなく、頻繁なハンドオーバ履歴を有するかどうかを判断することができる(ブロック336)。回答が「Yes」である場合、T5未満であってよく、40%または何らかの他の値であってよいT6の許可しきい値をUEに割り当てることができる(ブロック338)。
【００４７】
ブロック336に関して、回答が「No」である場合、UEがWLANシステムに関して不良なチャネル品質を有するかどうかを判断することができる(ブロック340)。回答が「Yes」である場合、T6以下であってよく、40%または何らかの他の値であってよいT7の許可しきい値をUEに割り当てることができる(ブロック342)。ブロック340に関して、回答が「No」である場合、T7以上であってよく、50%または何らかの他の値であってよいT8の許可しきい値をUEに割り当てることができる(ブロック344)。
【００４８】
1つまたは複数の要因に基づいて、他の方法で、UEの許可優先順位を判断することができる。UEの許可優先順位を使用して、他の方法で、WLANシステムに対してUEを許可することも可能である。
【００４９】
一設計では、WLANサービスとセルラーサービスの両方をサポートするスモールセル120の場合、スモールセル120内のセルラーシステムに対する許可に関するUEの優先順位は、以下の要因のうちの1つまたは複数に基づいて判断され得る。
D1.WLANサービスを有さないUEは、WLANサービスを有するUEよりも、セルラーシステムに対する許可に関してより高い優先順位を有する。
D2.セルラーローミング中のUEは、セルラーローミング中でないUEよりも、セルラーシステムに対する許可に関してより高い優先順位を有する。
D3.頻繁なハンドオーバ履歴を有さないUEは、頻繁なハンドオーバ履歴を有するUEよりも、セルラーシステムに対する許可に関してより高い優先順位を有する。
D4.セルラーシステムに関して良好なチャネル品質を有するUEは、セルラーシステムに関して不良なチャネル品質を有するUEよりも、セルラーシステムに対する許可に関してより高い優先順位を有する。
D5.他の要因。
【００５０】
セルラーシステムに対する許可に関するUEの優先順位を判断するためのいくつかの要因が上で説明されてきた。要因D2からD4は、WLANシステムとセルラーシステムの両方と通信することができるUEに適用可能である。要因D1からD4は、一設計による重要性の順序で列挙されており、要因D1は重要性が最も高く、要因D4は重要性が最も低い。これらの要因は、何らかの他の順序で重要性が割り当てられてもよい。セルラーシステムに関する許可に関するUEの優先順位を判断するために、他の要因を考慮することも可能である。
【００５１】
一設計では、1つまたは複数の要因に基づいて、所与のUE Xに許可しきい値を割り当てることができる。たとえば、WLANシステムに対する許可に関して上で説明したのと類似の形で、その割り当てられた許可しきい値とセルラーシステムの現在のロードとに基づいて、UE Xに関する許可決定を行うことができる。他の方法で、UE Xの許可優先順位を判断することも可能であり、かつ/または、UE Xの許可優先順位を使用して、他の方法で、セルラーシステムに対してUE Xを許可することも可能である。
【００５２】
UE Xの許可優先順位は、UE Xが、1つのワイヤレスシステムだけに関するサービス加入を有するか、または複数のワイヤレスシステムに関するサービス加入を有するか、ならびに各ワイヤレスシステムに関するUE Xのローミング状態に依存し得る。UE Xのサービス可用性およびローミング状態は次のように検出され得る。
【００５３】
UE Xは、WLANシステムに対する許可を要求することができ、アクセス手順の一環として、WLANシステム内で認証を実行することができる。この場合、UE XがWLANシステム内で認証に関するセルラー資格証明を使用したかどうかを判断することができる。セルラー資格証明は、Network Access Identifier(NAI)、International Mobile Subscriber Identity(IMSI)、またはセルラーシステム内で使用される何らかの他の識別子/識別(ID)を含み得る。WLAN認証に関してセルラー資格証明が使用されない場合、UE XはWLANサービスだけを有すると見なすことができる。あるいは、WLAN認証に関してセルラー資格証明が使用される場合、セルラー資格証明に基づいて、スモールセル120内の位置における現在のパブリックランドモバイルネットワーク(public land mobile network)(PLMN)がUE XのホームPLMNまたは等価PLMNであるかを判断することができる。現在のPLMNがUE XのホームPLMNまたは等価PLMNでない場合、UE Xは、セルラーローミングを伴い、WLANサービスとセルラーサービスの両方を有すると見なすことができる。反対に、現在のPLMNがUE XのホームPLMNまたは等価PLMNである場合、UE Xは、セルラーローミングを伴わず、WLANサービスとセルラーサービスの両方を有すると見なすことができる。
【００５４】
UE Xはセルラーシステムに対する許可を要求することができる。UE Xはサービス加入を有すると見なすことができ、したがって、UE XがWLANシステムに対する許可に関して識別されている場合、WLANシステムおよびセルラーシステムに関するサービスを受けることができる。あるいは、UE Xはセルラーシステムだけに関してサービス加入を有すると見なすことができる。
【００５５】
他の方法で、UE XがWLANサービスおよび/またはセルラーサービスを受けるための能力を有すると判断することができる。他の方法で、UE Xがセルラーローミング中であると判断することもできる。いずれの場合も、UE Xのサポートされるサービスおよびローミング状態を使用して、WLANシステムまたはセルラーシステムに関するUE Xの許可優先順位を判断することができる。
【００５６】
WLANシステムに関するUE Xの許可優先順位は、UE XがWLANシステム内に進行中のトラフィックを有するかどうかに依存し得る。一設計では、スモールセル120内のアクセスポイント122は、次のように、UE Xが関連付けられた最後のアクセスポイントに基づいて、UE XがWLANシステム内に進行中のトラフィックを有するかどうかを判断することができる。
【００５７】
UE Xは、再関連付け要求メッセージを新しいアクセスポイントに送ることができる。新しいアクセスポイントは、(たとえば、無線で、またはワイヤードネットワークを介してのいずれかで)UE Xの前に関連付けられたアクセスポイントとの通信トンネルを構築することができ、前に関連付けられたアクセスポイントにUE Xが送った再関連付け要求メッセージを取得することができる。
【００５８】
新しいアクセスポイントは、受信された再関連付け要求メッセージから前に関連付けられたアクセスポイントのAP IDを判断することができる。前に関連付けられたアクセスポイントは、トラフィックインジケータを新しいアクセスポイントに送り、UE XがWLANシステム内に進行中のトラフィックを有するかどうかを示すことができる。前に関連付けられたアクセスポイントが、新しいアクセスポイントとの通信トンネルを確立する前の最後のT秒内にUE Xとトラフィックデータを交換した場合、UE XはWLANシステム内に進行中のトラフィックを有すると見なすことができ、この場合、Tは任意の適切な値であってよい。
【００５９】
一設計では、図1のスモールセルコントローラ140の一部であり得る許可マネージャ142によってUEの認証優先順位を判断することができる。許可マネージャ142は、スモールセル120内のWLANシステムとセルラーシステムの両方と通信することが可能であり得る。許可マネージャ142は、上で説明したように、各ワイヤレスシステムに関して、UEに関する様々な要因を考慮に入れることによって、UEの許可優先順位を判断することができる。たとえば、許可マネージャ142は、WLANシステムに関係する要因(たとえば、進行中のトラフィック)ならびに、セルラーシステムに関係する要因(たとえば、UEのローミング状態)を考慮に入れることによって、WLANシステムに対する許可に関するUEの許可優先順位を判断することができる。
【００６０】
図4は、ワイヤレスシステムに対してUEを許可するためのプロセス400の設計を示す。プロセス400は、許可マネージャ、スモールセルコントローラ、基地局、システムコントローラなどのネットワークエンティティによって実行され得る。複数のワイヤレスシステムの中の第1のワイヤレスシステムに対する許可に関してUEを識別することができる(ブロック412)。第1のワイヤレスシステムに対する許可を要求するためにUEによって送られたシグナリングに基づいてUEを識別することができる。複数のワイヤレスシステムに関するUEの属性を判断することができる(ブロック414)。複数のワイヤレスシステムに関するUEの属性は、各ワイヤレスシステムに関するUEの能力および/または他の要因を含み得る。複数のワイヤレスシステムに関するUEの属性に基づいて、第1のワイヤレスシステムに関するUEの許可優先順位を判断することができる(ブロック416)。次いで、第1のワイヤレスシステムに関するUEの許可優先順位に基づいて、かつ場合によっては、第1のワイヤレスシステムの現在のリソース使用にさらに基づいて、第1のワイヤレスシステムに対してUEを許可するかどうかを判断することができる(ブロック418)。
【００６１】
複数のワイヤレスシステムは、WLANシステムとセルラーシステムとを含むことが可能であり、第1のワイヤレスシステムは、WLANシステムであってよく、またはセルラーシステムであってもよい。一設計では、複数のワイヤレスシステムは、特定の物理的位置で展開されたスモールセルの一部であり得る。スモールセルは、複数のワイヤレスシステムに関して少なくも1つの制御機能を実行するように設計され得る。
【００６２】
ブロック416の一設計では、第1ワイヤレスシステムに関するUEの許可優先順位は、複数のワイヤレスシステムに関するUEの属性に基づいて判断され得る許可しきい値によって与えられることが可能である。ブロック418の一設計では、UEの許可しきい値を第1のワイヤレスシステムの現在のリソース使用と比較することができる。第1のワイヤレスシステムの現在のリソース使用がUEの許可しきい値未満である場合、第1のワイヤレスシステムに対してUEを許可することができる。
【００６３】
ブロック414の一設計では、複数のワイヤレスシステムに関するUEの属性は、UEが第1のワイヤレスシステム内に進行中のトラフィックを有するかどうか、UEが複数のワイヤレスシステムの各々に関するサービス加入を有するか、もしくは第1のワイヤレスシステムだけに関するサービス加入を有するか、複数のワイヤレスシステムの各々に関するUEに対するサービス料金、UEが複数のワイヤレスシステムのうちのいずれかの中でローミングしているかどうか、第1のワイヤレスシステムに関するか、もしくは複数のワイヤレスシステムの各々に関するUEの能力、第1のワイヤレスシステムに関するUEのハンドオーバ履歴、第1のワイヤレスシステムに関するUEのチャネル品質、複数のワイヤレスシステムのうちの1つもしくは複数に関するUEのいくつかの他の属性、または上記の任意の組合せを含み得る。
【００６４】
一設計では、UEが第1のワイヤレスシステム(たとえば、WLANシステム)内に進行中のトラフィックを有するかどうかは、(i)UEから再関連付け要求メッセージを受信すること、(ii)再関連付け要求メッセージに基づいて、UEと前に関連付けられたアクセスポイントの識別子を取得すること、(iii)前に関連付けられたアクセスポイントからUEに関するトラフィックインジケータを受信すること、および(iv)トラフィックインジケータに基づいて、UEが第1のワイヤレスシステム内に進行中のトラフィックを有するかどうかを判断することによって判断され得る。他の方法で、UEが第1のワイヤレスシステム内に進行中のトラフィックを有するかどうかを判断することも可能である。
【００６５】
一設計では、UEがワイヤレスシステム(たとえば、セルラーシステム)に関するサービス加入を有するかどうかは、(i)第1のワイヤレスシステム内のUEの認証の間にUEのUE識別を取得すること、および(ii)UE識別が第2のワイヤレスシステム内で使用され得るかどうかに基づいて、UEが複数のワイヤレスシステムの中の第2のワイヤレスシステムに関するサービス加入を有するかどうかを判断することによって判断され得る。他の方法で、UEがワイヤレスシステムに関するサービス加入を有するかどうかを判断することも可能である。
【００６６】
一設計では、UEがローミングしているか(たとえば、セルラーローミング中であるか)どうかは、(i)第2のワイヤレスシステムに関するUE識別に基づいて、第2のワイヤレスシステムに関するUEのホームネットワークまたは等価ネットワークのネットワーク識別を判断すること、ならびに(ii)UEのホームネットワークまたは等価ネットワークのネットワークエンティティと、第2のワイヤレスシステムに関する現在のネットワークのネットワーク識別とに基づいて、UEが第2のワイヤレスシステム内でローミングしているかどうかを判断することによって確認され得る。他の方法で、UEがワイヤレスシステム内でローミングしているかどうかを判断することも可能である。
【００６７】
一設計では、第1のワイヤレスシステムに関するUEの能力は、第1のワイヤレスシステムに関してUEによってサポートされる最大物理レイヤレート、第1のワイヤレスシステムに関してUEによってサポートされる少なくとも1つのセキュリティプロトコル、第1のワイヤレスシステムに関してUEによってサポートされる最大システム帯域幅、第1のワイヤレスシステムに関してUEによってサポートされる少なくとも1つの動作モード、他の情報、または上記の任意の組合せに基づいて判断され得る。他の方法で、第1のワイヤレスシステムに関するUEの能力を判断することも可能である。複数のワイヤレスシステムの各々に関するUEの能力を判断して、UEの許可を判断するために使用することも可能である。
【００６８】
一設計では、第1のワイヤレスシステムに関するUEのチャネル品質は、フレームエラーレート、物理レイヤレート、ダウンリンクもしくはアップリンクに関するSNRまたは信号強度、CQI、送信電力ヘッドルーム、他の情報、あるいはこれらの任意の組合せに基づいて判断され得る。他の方法で、チャネル品質を判断することも可能である。
【００６９】
図5は、ワイヤレスシステムにアクセスするためのプロセス500の設計を示す。プロセス500は、(下で説明されるような)UEまたは何らかの他のエンティティにより実行され得る。UEは複数のワイヤレスシステムの中の第1のワイヤレスシステムにアクセスするためのシグナリングを送ることができる(ブロック512)。複数のワイヤレスシステムは、WLANシステムとセルラーシステムとを含むことが可能であり、スモールセルの一部であり得る。UEは、第1のワイヤレスシステムに関するUEの許可優先順位に基づいて、第1のワイヤレスシステムに許可されていることの指示を受信することができる(ブロック514)。複数のワイヤレスシステムに関するUEの属性に基づいて、UEの許可優先順位を判断することができる。
【００７０】
複数のワイヤレスシステムに関するUEの属性は、UEが第1のワイヤレスシステム内に進行中のトラフィックを有するかどうか、UEが複数のワイヤレスシステムの各々に関するサービス加入を有するか、複数のワイヤレスシステムの各々に関するUEに対するサービス料金、UEが複数のワイヤレスシステムのうちのいずれかの中でローミングしているかどうか、第1のワイヤレスシステムに関するもしくは複数のワイヤレスシステムの各々に関するUEの能力、第1のワイヤレスシステムに関するUEのハンドオーバ履歴、第1のワイヤレスシステムに関するUEのチャネル品質、いくつかの他の属性、またはそれらの任意の組合せに関係し得る。
【００７１】
図6は、ネットワークエンティティ610およびUE650の設計のブロック図を示す。ネットワークエンティティ610は、許可制御を担うことができ、図1の許可マネージャ142もしくはスモールセルコントローラ140、または何らかの他のネットワークエンティティに対応し得る。ネットワークエンティティ610は、UE650と直接通信することができるか、または1つもしくは複数の他のエンティティを介してUE650と通信することができる。UE650は、図1のUE110から116のうちのいずれかに対応し得る。
【００７２】
ネットワークエンティティ610で、モジュール612は、複数のワイヤレスシステムの中の、たとえば、スモールセル内のWLANシステムおよびセルラーシステムの中の1つのワイヤレスシステムにアクセスするための要求をUEから受信することができる。モジュール614は、ワイヤレスシステムに対するアクセスを要求しているUEの属性(たとえば、能力)を判断することができる。UEの属性は、上で説明した要因A1からA7、B1からB7、またはD1からD5のうちのいくつかもしくはすべてに対応し得る。上記で説明したようにUEの属性を判断することもできる。モジュール618は、複数のワイヤレスシステムに関するUEの属性に基づいて、各UEの許可優先順位を判断することができる。モジュール620は、ワイヤレスシステムに対するアクセスを要求する各UEを許可するかまたは拒否するかを決定することができる。モジュール624は、UEおよび/または他のネットワークエンティティとの通信をサポートし得る。送信機616は、UEに関する許可決定など、制御情報を含む信号を生成して送信することができる。受信機622は、UEおよび/または他のネットワークエンティティによって送られた信号を受信して処理することができる。ネットワークエンティティ610内の様々なモジュールは、上記で説明されたように動作し得る。コントローラ/プロセッサ626は、ネットワークエンティティ610内の様々なモジュールの動作を指示することができる。メモリ628は、ネットワークエンティティ610のためのデータとプログラムコードとを記憶することができる。
【００７３】
UE650で、モジュール654は、複数のワイヤレスシステムの中の、たとえば、スモールセル内のWLANシステムおよびセルラーシステムの中の1つのワイヤレスシステムにアクセスするための要求を送ることができる。モジュール656は、上で説明した要因のうちのいくつかまたはすべてに対応し得る、UE650の属性を判断することができる。モジュール660は、UE650がワイヤレスシステムに対して許可されているかどうかを示すシグナリングを受信することができる。モジュール662は、UE650が許可されているワイヤレスシステムと通信することができる。受信機652は、基地局および/または他のネットワークエンティティによって送られた信号を受信して処理することができる。送信機658は、アクセス要求、複数のワイヤレスシステムに関するUE650の属性などの情報を含む信号を生成して、送ることができる。モジュール662は、基地局および/または他のネットワークエンティティとの通信をサポートし得る。UE650内の様々なモジュールは、上記のように動作することができる。コントローラ/プロセッサ666は、基地局110内の様々なモジュールの動作を指示することができる。メモリ668は、UE650のためのデータおよびプログラムコードを記憶することができる。
【００７４】
図7は、スモールセル700およびUE750のブロック図を示す。UE750は、図1のUE110から116に対応し得る。スモールセル700は、図1のスモールセル120の一設計であり得、基地局710とスモールセルコントローラ790とを含み得る。スモールセルコントローラ790は、図1のスモールセルコントローラ140に対応し得る。基地局710は、図1のアクセスポイント122またはフェムトセル124に対応し得る。基地局710はT個のアンテナ734aから734tを備えることができ、UE750はR個のアンテナ752aから752rを備えることができ、一般に、T≧1およびR≧1である。
【００７５】
基地局710において、送信プロセッサ720は、データソース712からデータを受信し、コントローラ/プロセッサ740から制御情報を(たとえば、メッセージ)を受信することができる。プロセッサ720は、データと制御情報とを処理(たとえば、符号化および変調)して、それぞれデータシンボルと制御シンボルとを取得することができる。プロセッサ720はまた、同期信号、基準信号などのための基準シンボルを生成することができる。送信(TX)多入力多出力(MIMO)プロセッサ730は、可能な場合、データシンボル、制御シンボル、および/または基準シンボルに対して空間処理(たとえば、プリコーディング)を実行することができ、T個の出力シンボルストリームをT個の変調器(MOD)732aから732tに提供することができる。各変調器732は、(たとえば、OFDM、SC-FDMA、CDMAなどの)それぞれの出力シンボルストリームを処理して、出力サンプルストリームを取得することができる。各変調器732は、ダウンリンク信号を取得するために、出力サンプルストリームをさらに処理(たとえば、アナログへの変換、増幅、フィルタ処理、およびアップコンバート)をすることができる。変調器732aから732tからのT個のダウンリンク信号は、それぞれT個のアンテナ734aから734tを介して送信され得る。
【００７６】
UE750で、アンテナ752aから752rは、基地局710および他の基地局からダウンリンク信号を受信することができる。アンテナ752aから752rは、受信された信号をそれぞれ復調器(DEMOD)754aから754rに提供することができる。各復調器754は、それぞれの受信された信号を調整(たとえば、フィルタリング、増幅、ダウンコンバート、およびデジタル化)して入力サンプルを取得することができる。各復調器754は、(たとえば、SC-FDMA、OFDMA、CDMAなどのための)入力サンプルをさらに処理して、受信されたシンボルを取得することができる。MIMO検出器756は、すべてのR個の復調器754a〜754rから受信シンボルを取得し、適用可能な場合は、受信シンボルに対してMIMO検出を実行し、検出されたシンボルを供給することができる。受信プロセッサ758は、検出されたシンボルを処理(たとえば、復調および復号)し、UE750のための復号されたデータをデータシンク760に提供し、復号された制御情報をコントローラ/プロセッサ780に提供することができる。UE750で、チャネルプロセッサ784は、基地局710および/または他の基地局からダウンリンク信号を受信することができる。プロセッサ780は、受信されたダウンリンク信号に基づいて、基地局710および/または他の基地局に関するチャネル品質を判断することができる。
【００７７】
アップリンク上では、UE750において、送信プロセッサ764は、データソース762からデータを受信し、コントローラ/プロセッサ780から制御情報(たとえば、メッセージ)を受信し得る。プロセッサ764は、データと制御情報とを処理(たとえば、符号化および変調)して、それぞれデータシンボルと制御シンボルとを取得することができる。プロセッサ764はまた、基準信号のための基準シンボルを生成し得る。送信プロセッサ764からのシンボルは、適用可能な場合は、TX MIMOプロセッサ766によってプリコードされ、さらに(たとえば、OFDMA、SC-FDMA、CDMAなどのために)復調器754aから754rによって処理され、基地局710および他の基地局に送信され得る。基地局710において、UE750および他のUEからのアップリンク信号は、アンテナ734によって受信され、復調器732によって処理され、適用可能な場合は、MIMO検出器736によって検出され、さらに、UE750および他のUEによって送られた、復号されたデータおよび制御情報を取得するために、受信プロセッサ738によって処理され得る。プロセッサ738は、復号されたデータをデータシンク739に提供し、復号された制御情報をコントローラ/プロセッサ740に提供することができる。
【００７８】
コントローラ/プロセッサ740および780は、それぞれ基地局710およびUE750における動作を指示し得る。基地局710におけるプロセッサ740ならびに/または他のプロセッサおよびモジュールは、図2のプロセス200、図3のプロセス300、図4のプロセス400、および/もしくは本明細書で説明する技法のための他のプロセスを実行または指示することができる。UE750におけるプロセッサ780ならびに/または他のプロセッサおよびモジュールは、図5のプロセス500および/もしくは本明細書で説明する技法のための他のプロセスを実行または指示することができる。メモリ742および782は、それぞれ基地局710およびUE750のためのデータおよびプログラムコードを記憶し得る。通信(Comm)ユニット744は、基地局710が他のネットワークエンティティと通信することを可能にし得る。スケジューラ746は、UEを通信用にスケジュールすることができ、スケジュールされたUEにリソースを割り当てることができる。
【００７９】
スモールセルコントローラ790内で、コントローラ/プロセッサ792は、UEのための通信をサポートするための様々な機能を実行することができる。スモールセルコントローラ790におけるプロセッサ792ならびに/または他のプロセッサおよびモジュールは、プロセス200、プロセス300、プロセス400、および/もしくは本明細書で説明する技法のための他のプロセスを実行または指示することができる。メモリ794は、スモールセルコントローラ790のためのプログラムコードおよびデータを記憶することができる。記憶ユニット794は、UEおよび/またはワイヤレスシステムに関する情報をスモールセルコントローラ790の制御内に記憶することができる。通信ユニット796は、スモールセルコントローラ790が他のネットワークエンティティと通信することを可能にし得る。
【００８０】
情報および信号は、様々な異なる技術および技法のいずれかを使用して表され得ることが、当業者には理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００８１】
さらに、本明細書の開示に関して説明した様々な例示的な論理ブロック、モジュール、回路、およびアルゴリズムステップが、電子ハードウェア、コンピュータソフトウェア、または両方の組合せとして実装され得ることを当業者は理解されよう。ハードウェアとソフトウェアのこの互換性を明確に示すために、様々な例示的な構成要素、ブロック、モジュール、回路、およびステップが、上記では概してそれらの機能に関して説明されてきた。そのような機能がハードウェアとして実装されるか、またはソフトウェアとして実装されるかは、具体的な適用例および全体的なシステムに課される設計制約に依存する。当業者は、説明された機能を具体的な適用例ごとに様々な方法で実装し得るが、そのような実装の決定は、本開示の範囲からの逸脱をもたらすものと解釈されるべきではない。
【００８２】
本明細書の開示に関して説明した様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本明細書で説明した機能を実施するように設計されたそれらの任意の組合せを用いて実装あるいは実施され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つもしくは複数のマイクロプロセッサ、または任意の他のそのような構成として実施され得る。
【００８３】
本明細書の開示に関して説明した方法またはアルゴリズムのステップは、直接ハードウェアで実施されるか、プロセッサによって実行されるソフトウェアモジュールで実施されるか、またはその2つの組合せで実施され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体中に存在し得る。例示的な記憶媒体は、プロセッサが記憶媒体から情報を読み取り、かつ記憶媒体に情報を書き込むことができるように、プロセッサに結合される。代替形態において、記憶媒体はプロセッサと一体であり得る。プロセッサおよび記憶媒体はASIC内に存在することができる。ASICはユーザ端末内に存在することができる。代替として、プロセッサおよび記憶媒体は、ユーザ端末内に個別構成要素として存在することができる。
【００８４】
1つまたは複数の例示的な設計では、説明された機能は、ハードウェア、ソフトウェア、ファームウェア、または任意のそれらの組合せで実装され得る。ソフトウェアで実装される場合、機能は、1つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスできる任意の利用可能な媒体とすることができる。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令またはデータ構造の形態の所望のプログラムコード手段を搬送または記憶するために使用され汎用もしくは専用コンピュータまたは汎用もしくは専用プロセッサによってアクセスされ得る、任意の他の媒体を備え得る。同様に、いかなる接続も適切にコンピュータ可読媒体と称される。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用されるディスク(disk)およびディスク(disc)は、コンパクトディスク(disc)(CD)、レーザディスク(登録商標)(disc)、光ディスク(disc)、デジタル多用途ディスク(disc)(DVD)、フロッピー(登録商標)ディスク(disk)、およびブルーレイディスク(disc)を含み、ディスク(disk)は、通常、磁気的にデータを再生し、ディスク(disc)は、レーザで光学的にデータを再生する。上記の組合せもコンピュータ可読媒体の範囲内に含めるべきである。
【００８５】
本開示の前述の説明は、任意の当業者が本開示を作成または使用できるように提供されている。本開示への様々な修正が当業者には容易に明らかになり、本明細書で定義される一般原理は、本開示の趣旨および範囲を逸脱することなく他の変形形態に適用され得る。したがって、本開示は、本明細書で説明される例および設計に限定されるものではなく、本明細書で開示される原理および新規の特徴に一致する最大の範囲を与えられるものである。
【符号の説明】
【００８６】
100  システム展開
110〜116、650、750  UE
120、700  スモールセル
122  アクセスポイント(AP)
124  フェムトセル
126  ルータ
130  セルラーシステム
132、710  基地局
134  システムコントローラ
140、790  スモールセルコントローラ
142  許可マネージャ
148  インターネット
150  コアネットワーク
610  ネットワークエンティティ
612、614、618、620、624、654、656、660、662  モジュール
616、658  送信機
622、652  受信機
626、666、740、780、792  コントローラ/プロセッサ、プロセッサ
628、668、742、782、794  メモリ
712、762  データソース
720、764  送信プロセッサ、プロセッサ
730、766  送信(TX)多入力多出力(MIMO)プロセッサ
732a〜732t  変調器(MOD)
734a〜734t、752a〜752r  アンテナ
736、756  MIMO検出器
738、758  受信プロセッサ、プロセッサ
739、760  データシンク
744、796  通信(Comm)ユニット
746  スケジューラ
754a〜754r  復調器(DEMOD)
784  チャネルプロセッサ、プロセッサ
【図１】
0006339087.tif 000002
【図２】
0006339087.tif 000003
【図３】
0006339087.tif 000004
【図４】
0006339087.tif 000005
【図５】
0006339087.tif 000006
【図６】
0006339087.tif 000007
【図７】
0006339087.tif 000008